(57)【要約】【課題】携帯電話に搭載された赤外線送受信機能を使い、パケット定額の定義内でインターネット接続を可能にするインターネット接続システムを提供する。【解決手段】携帯電話機は、プロキシサーバとの間でインターネット通信を実行するインターネット通信と、携帯情報端末との間で赤外線通信を実行する赤外線通信とを統合的に制御する。携帯情報端末は、携帯電話機との間で赤外線通信を実行する赤外線通信と、プロキシサーバとやり取りするインターネットプロキシ接続とを、統合的に制御する。プロキシサーバは、携帯電話アプリから依頼されたＵＲＬ情報に基づき外部サイトデータを取得し、それを一時的に記憶し、携帯電話アプリに送り返す。【選択図】図３
2006293840.tif 000002
【特許請求の範囲】
【請求項１】
インターネット上に設けられたプロキシサーバと、インターネット接続機能と赤外線通信機能とをもつ携帯電話機と、赤外線通信機能を有する携帯情報端末とを有するインターネット接続システムであって、
前記携帯電話機は、
前記プロキシサーバとの間でインターネット通信を実行するインターネット通信と、前記携帯情報端末との間で赤外線通信を実行する赤外線通信とを統合的に制御するインターネット通信赤外線通信統合制御手段を有し、
前記携帯情報端末は、
前記携帯電話機との間で赤外線通信を実行する赤外線通信と、前記携帯電話機を介して前記プロキシサーバとやり取りするインターネットプロキシ接続とを、統合的に制御する赤外線通信インターネットプロキシ統合制御手段を有し、
前記プロキシサーバは、
携帯電話アプリから依頼されたＵＲＬ情報に基づき外部サイトデータを取得する外部サイトデータ取得手段と、
該外部サイトデータ取得手段が取得した外部サイトデータを一時的に記憶する外部サイトデータ記憶手段と、
該外部サイトデータ記憶手段が記憶したデータを前記携帯電話アプリに送り返す外部サイトデータ送信手段と、
を有して、前記携帯情報端末が、インターネット接続することを可能とするインターネット接続システム。
【請求項２】
請求項１に記載したインターネット接続システムであって、前記携帯電話機のインターネット通信赤外線通信統合制御手段は、前記携帯電話機にアプリケーションプログラムを組み込むことにより実現されるものであって、当該アプリケーションプログラムは、前記プロキシサーバ上の記憶手段に記憶されて、必要に応じて、前記携帯電話機からダウンロードされるものであることを特徴とするインターネット接続システム。
【請求項３】
請求項１に記載したインターネット接続システムであって、前記携帯情報端末の赤外線通信インターネットプロキシ統合制御手段は、前記携帯情報端末にアプリケーションプログラムを組み込むことにより実現されるものであって、当該アプリケーションプログラムは、前記プロキシサーバ上の記憶手段に記憶されて、必要に応じて、前記携帯情報端末からダウンロードされるものであることを特徴とするインターネット接続システム。
【請求項４】
インターネット上に設けられたプロキシサーバと、インターネット接続機能と赤外線通信機能とをもつ携帯電話機と、赤外線通信機能を有する携帯情報端末との間で実行されるインターネット接続方法であって、
前記携帯情報端末の通信を欲するアプリケーションプログラムから、該携帯情報端末内のプロキシ処理を実行する赤外線通信インターネットプロキシ統合制御手段を構成するアプリケーションへ向けてＵＲＬ送信を同一機器内の電子データ引渡しとして実行するプロキシ接続ステップと、
前記携帯情報端末の赤外線通信インターネットプロキシ統合制御手段から、前記携帯電話機のインターネット通信赤外線通信統合制御手段へ向けてＵＲＬを赤外線通信にて送信する赤外線通信ステップと、
前記携帯電話機のインターネット通信赤外線通信統合制御手段から、前記プロキシサーバへ向けて、携帯電話網パケット通信により、ＵＲＬをＨＴＴＰ通信で引き渡す携帯電話網パケット通信ステップと、
前記プロキシサーバから、該ＵＲＬで指定された外部サーバへ向けて通常のインターネット接続を実行するＨＴＴＰ通信ステップと、
該ＵＲＬで指定された該外部サーバから、前記プロキシサーバへ向けて通常のインターネット接続を実行して応答データを引き渡すＨＴＴＰ通信ステップと、
前記プロキシサーバから、前記携帯電話機のインターネット通信赤外線通信統合制御手段へ向けて、携帯電話網パケット通信により、応答データをＨＴＴＰ応答として引き渡す携帯電話網パケット通信ステップと、
前記携帯電話機のインターネット通信赤外線通信統合制御手段から、前記携帯情報端末の赤外線通信インターネットプロキシ統合制御手段へ向けて応答データを赤外線通信にて送信する赤外線通信ステップと、
前記携帯情報端末内のプロキシ処理を実行する赤外線通信インターネットプロキシ統合制御手段を構成するアプリケーションから、前記携帯情報端末の通信を欲するアプリケーションプログラムへ向けて当該ＵＲＬから取得されたデータを同一機器内の電子データ引渡しとして送信するプロキシ接続ステップと
からなるインターネット接続方法。
【発明の詳細な説明】
【技術分野】
【０００１】
本発明は、インターネット上のサーバと携帯電話機とを介してノートパソコンなどの携帯情報端末をインターネットに接続するシステム及び方法に関するものである。
【背景技術】
【０００２】
特許文献１には、接続ケーブルを用いることなくいわゆるノートパソコンなどの携帯情報端末から携帯電話機経由で外部ネットワークと接続する手段が開示されている。
【０００３】
その解決手段は、携帯情報端末を外部ネットワークと接続してデータの送受信を行う場合に、赤外線通信ユニットと携帯電話機を接続し、携帯電話機と携帯情報端末とを、赤外線通信ユニットに設けられた赤外線ポートと携帯情報端末の赤外線ポートが対向するように設置する事で赤外線による通信が可能な状態とする。この状態で携帯情報端末を操作することにより、赤外線通信ユニット及び携帯電話機を介して、電子メール等のデータ送受信やインターネットのホームページへの接続が可能とするものである。
【０００４】
しかし、このアイデアは、ダイヤルアップ接続により従量課金または時間課金のサービスを受けるものであった。したがって、携帯電話のユーザが携帯電話を用いてインターネットを使用する場合の料金とは異なる料金体系の課金がなされていた。
【特許文献１】特開２００２−２４７１８６号公報
【発明の開示】
【発明が解決しようとする課題】
【０００５】
本発明の発明者は、従来までの携帯電話をモデムとして使う処理は、パケット定額とは別に従量の課金がされていること、ユーザはパソコンから携帯電話を使ったインターネット接続時毎分毎もしくは通信に掛かったデータ量だけの金額を支払わねばならないこと、に鑑み、最近普及してきた携帯電話のパケット料金定額制が、携帯電話機単独でのインターネット接続のみならず、携帯電話を介してノートパソコンなどの携帯情報端末をインターネット接続する上でも役立つのではないかと考えた。そして、そのソフトウェア的な実現方法について、あれこれ試行錯誤した結果、ようやく実現にこぎつけた。
【０００６】
本発明が解決しようとする課題は、携帯電話に搭載された赤外線送受信機能を使い、パケット定額の定義内でインターネット接続を可能にするインターネット接続システムを提供することにある。
【課題を解決するための手段】
【０００７】
本発明のインターネット接続システムは、インターネット上に設けられたプロキシサーバ（内部ネットワークとインターネットとの境にあって、直接インターネットに接続できない内部ネットワークのコンピュータに代わって、「代理」としてインターネットとの接続を行うコンピュータ）と、インターネット接続機能と赤外線通信機能とをもつ携帯電話機と、赤外線通信機能を有する携帯情報端末とを有するインターネット接続システムであって、前記携帯電話機は、前記プロキシサーバとの間でインターネット通信を実行するインターネット通信と、前記携帯情報端末との間で赤外線通信を実行する赤外線通信とを統合的に制御するインターネット通信赤外線通信統合制御手段を有し、前記携帯情報端末は、前記携帯電話機との間で赤外線通信を実行する赤外線通信と、前記携帯電話機を介して前記プロキシサーバとやり取りするインターネットプロキシ接続とを、統合的に制御する赤外線通信インターネットプロキシ統合制御手段を有し、前記プロキシサーバは、携帯電話アプリから依頼されたＵＲＬ情報に基づき外部サイトデータを取得する外部サイトデータ取得手段と、該外部サイトデータ取得手段が取得した外部サイトデータを一時的に記憶する外部サイトデータ記憶手段と、該外部サイトデータ記憶手段が記憶したデータを前記携帯電話アプリに送り返す外部サイトデータ送信手段と、を有して、前記携帯情報端末が、インターネット接続することを可能とするものである。
【０００８】
上記システムにおいて、、前記携帯電話機のインターネット通信赤外線通信統合制御手段は、前記携帯電話機にアプリケーションプログラムを組み込むことにより実現されるものであって、当該アプリケーションプログラムは、前記プロキシサーバ上の記憶手段に記憶されて、必要に応じて、前記携帯電話機からダウンロードされるものとすることができる。
【０００９】
また、上記システムにおいて、前記携帯情報端末の赤外線通信インターネットプロキシ統合制御手段は、前記携帯情報端末にアプリケーションプログラムを組み込むことにより実現されるものであって、当該アプリケーションプログラムは、前記プロキシサーバ上の記憶手段に記憶されて、必要に応じて、前記携帯情報端末からダウンロードされるものとすることができる。
【００１０】
本発明に係るインターネット接続方法は、インターネット上に設けられたプロキシサーバと、インターネット接続機能と赤外線通信機能とをもつ携帯電話機と、赤外線通信機能を有する携帯情報端末との間で実行されるインターネット接続方法であって、前記携帯情報端末の通信を欲するアプリケーションプログラムから、該携帯情報端末内のプロキシ処理を実行する赤外線通信インターネットプロキシ統合制御手段を構成するアプリケーションへ向けてＵＲＬ送信を同一機器内の電子データ引渡しとして実行するプロキシ接続ステップと、前記携帯情報端末の赤外線通信インターネットプロキシ統合制御手段から、前記携帯電話機のインターネット通信赤外線通信統合制御手段へ向けてＵＲＬを赤外線通信にて送信する赤外線通信ステップと、前記携帯電話機のインターネット通信赤外線通信統合制御手段から、前記プロキシサーバへ向けて、携帯電話網パケット通信により、ＵＲＬをＨＴＴＰ通信で引き渡す携帯電話網パケット通信ステップと、前記プロキシサーバから、該ＵＲＬで指定された外部サーバへ向けて通常のインターネット接続を実行するＨＴＴＰ通信ステップと、該ＵＲＬで指定された該外部サーバから、前記プロキシサーバへ向けて通常のインターネット接続を実行して応答データを引き渡すＨＴＴＰ通信ステップと、前記プロキシサーバから、前記携帯電話機のインターネット通信赤外線通信統合制御手段へ向けて、携帯電話網パケット通信により、応答データをＨＴＴＰ応答として引き渡す携帯電話網パケット通信ステップと、前記携帯電話機のインターネット通信赤外線通信統合制御手段から、前記携帯情報端末の赤外線通信インターネットプロキシ統合制御手段へ向けて応答データを赤外線通信にて送信する赤外線通信ステップと、前記携帯情報端末内のプロキシ処理を実行する赤外線通信インターネットプロキシ統合制御手段を構成するアプリケーションから、前記携帯情報端末の通信を欲するアプリケーションプログラムへ向けて当該ＵＲＬから取得されたデータを同一機器内の電子データ引渡しとして送信するプロキシ接続ステップとからなるものである。
【発明の効果】
【００１１】
本発明のインターネット接続システムを用いると、パソコンなどの携帯情報端末を携帯電話機を用いてインターネットに接続することが気軽にできる。また、携帯電話機のパケット定額制などの料金体系の範囲内でインターネット接続が可能になる。
【発明を実施するための最良の形態】
【００１２】
本発明のインターネット接続システムは、ハードウェア構成からいえば、インターネット上に置かれたプロキシサーバ、赤外線通信機能及びアプリケーションからのＨＴＴＰ通信機能を有する携帯電話機、赤外線機能を有する携帯情報端末（パソコンやＰＤＡなど）からなるものである。ソフトウェア面の構成を言えば、次の三つのソフトウェアにより構成される。
第一に、携帯電話アプリＡ（以下「携帯アプリＡ」と略す）、すなわち、携帯電話内に搭載する赤外線送受信機能と、自分自身がダウンロードされたサーバ（プロキシサーバ）との間でインターネット通信機能とを持つものであって、この二つの通信処理を統合的に制御するアプリケーションプログラムである。
第二に、携帯情報端末のアプリケーションＢ（以下「パソコンアプリＢ」と略す）、すなわちパソコンに搭載する赤外線送受信機能とインターネットプロシキ機能とを持つものであって、これらの二つの通信処理を統合的に制御するアプリケーションプログラムである。
第三に、プロキシサーバのアプリケーションＣ（以下「サーバアプリＣ」と略す）、すなわち携帯電話アプリから依頼されたＵＲＬ情報に基づき 外部サイトデータ情報を携帯電話アプリに送り返すサーバ処理を実行するアプリケーションプログラムである。
これら三つの処理により本発明のインターネット接続システムは機能する。
【００１３】
本発明に係るインターネット接続システムを始める前の設定は、次の通りである。
まず、携帯アプリＡを所定のサーバからダウンロードして、起動する。
次に、パソコン（携帯情報端末）にパソコンアプリＢを所定のサーバからダウンロードする。その後、使用するアプリケーション（メーラー、ブラウザ、ＦＴＰソフトなど）で、プロキシサーバ設定を実行する。たとえば、プロキシポートを4126とした場合、設定するサーバは  127.0.0.1:4126  となる。
プロキシはブラウザまたはインターネット接続時、すべての通信の送受信口となる。これによりメール/ブラウズ/FTP処理の変更なしでパソコン通信を実現する事ができる。
【００１４】
処理詳細について図３を参照しつつ、説明する。図３は、本システム及び方法の処理の流れを示す図である。
設定が終わった段階でブラウザを起動する。
URL入力を行うと（図３の（１））、パソコンアプリＢが赤外線通信クライアントとなり、赤外線通信サーバとして待ち受けている携帯アプリＡへ接続する（図３の（３））。
パソコンアプリＢが、赤外線通信を使用して携帯アプリＡへ、取得すべきURL情報を送信する（図３の（３））。
情報を送信し終わったパソコンアプリＢは、一旦赤外線通信を終了し、携帯アプリＡからの応答を受信するために赤外線通信サーバとして起動し、待ち受けを開始する。
赤外線通信でURL情報を受け付けた携帯アプリＡは、HTTP通信を行うため、一旦赤外線通信を終了する（図３の（３））。
携帯アプリＡは、HTTP通信にてサーバアプリＣへURL情報を引き渡す（図３の（４））。
URL情報を引き渡されたサーバアプリＣはすみやかに指定されたサイトのデータを取得し取得したデータサイズを付加し携帯アプリＡへ送り返す（図３の（４）、（５）、（６）、（７））。
データを送り返された携帯アプリＡはパソコンアプリＢへデータを送るため赤外線クライアントとして起動し、赤外線サーバとして待ち受けているパソコンアプリＢに接続する（図３の（８））。
携帯アプリＡはパソコンアプリＢへ、赤外線通信でデータを送り返す（図３の（８））。
パソコンアプリＢは最初にURL情報を送信したブラウザへデータをつなぎブラウザから指定されたURLの内容が表示される事となる（図３の（９）、（１０））。
携帯アプリＡはデータの送信が終わった後は、赤外線通信を終了し、次回の要求を待ち受ける為に、赤外線サーバとして再度起動する。
以上の流れが繰り返される。
【００１５】
携帯アプリＡ、パソコンアプリＢは、セットで、所定のサーバ（たとえば、プロキシサーバそのもの）に置かれて、需要者（ユーザ）によりダウンロード可能なものとして準備される。
【実施例】
【００１６】
処理詳細の実施例について図４を参照しつつ、説明する。図４は、実施例における処理の流れを示す図である。携帯アプリＡ、パソコンアプリＢ、サーバアプリＣの三つのアプリケーションソフトの連携により本システムが稼動すること、及び、事前の設定が必要なことは、上記実施形態と同様である。
本実施例は、一般的に携帯アプリが、一度に処理可能なデータサイズが比較的小さいために、ＵＲＬにて示されたデータを一度で取得できるとは限らないことに着目して、ＵＲＬで指定された外部サーバからの応答データを複数回に分けて取得するものである。
事前の設定が終わった段階でブラウザを起動する。
URL入力を行うと（図４の（１））、パソコンアプリＢが赤外線通信クライアントとなり、赤外線通信サーバとして待ち受けている携帯アプリＡへ接続する（図４の（３））。
パソコンアプリＢが、赤外線通信を使用して携帯アプリＡへ、取得すべきURL情報を送信する（図４の（３））。
情報を送信し終わったパソコンアプリＢは、一旦赤外線通信を終了し、携帯アプリＡからの応答を受信するために赤外線通信サーバとして起動し、待ち受けを開始する。
赤外線通信でURL情報を受け付けた携帯アプリＡは、HTTP通信を行うため、一旦赤外線通信を終了する（図４の（３））。
携帯アプリＡは、HTTP通信にてサーバアプリＣへURL情報を引き渡す（図４の（４））。このとき、携帯アプリが処理可能なデータサイズの大きさと、既に処理したデータサイズがどれほどであるかという情報をも付け加えて引き渡す（図４の（４））。
URL情報及び携帯アプリが処理可能なデータサイズ、処理済のサイズを引き渡されたサーバアプリＣはすみやかに指定されたサイトのデータを取得し（図４の（５）、（６））、取得したデータを蓄積する（図４の（７））。そして、サーバアプリＣは、未処理のデータから処理可能なサイズ分のデータを携帯側アプリへＨＴＴＰ応答として送信する（図４の（８））。このとき、合計のデータサイズ、取得済みのデータサイズに関する情報をも合わせて送信する。
データを送り返された携帯アプリＡはパソコンアプリＢへデータを送るため赤外線クライアントとして起動し、赤外線サーバとして待ち受けているパソコンアプリＢに接続する（図４の（８））。
携帯アプリＡはパソコンアプリＢへ、赤外線通信で応答データを送り返す（図４の（８））。このとき、合計データサイズと取得済みデータサイズに関する情報とが大小比較されて、取得データサイズが合計データサイズに満たない場合、再度待ち受け状態となり、図４の（４）、（８）、（９）の処理を繰り返す。合計サイズを取得し終えた場合に図４の（１０）に進む。
パソコンアプリＢは最初にURL情報を送信したブラウザへデータを引渡し、ブラウザから指定されたURLの内容が表示される事となる（図４の（１０）、（１１））。
携帯アプリＡはデータの送信が終わった後は、赤外線通信を終了し、次回の要求を待ち受ける為に、赤外線サーバとして再度起動する。
以上の流れが繰り返される。
【産業上の利用可能性】
【００１７】
赤外線通信機能を有する携帯電話機のメーカなどの宣伝サイトなどに顧客を誘引すべく本発明の実施に必要な携帯電話アプリ、パソコンアプリをセットで、ウェブ上からダウンロードできるようにし、同時にプロキシサーバを提供することによって、顧客に対して、インターネット接続の環境を提供することができる。
【図面の簡単な説明】
【００１８】
【図１】本システムのハードウェア構成を示す図である。
【図２】本システムのソフトウェア構成を示す図である。
【図３】本システム及び方法の処理の流れを示す図である。
【図４】実施例における処理の流れを示す図である。
【符号の説明】
【００１９】
１０  インターネット網
２０  携帯電話網
３０  赤外線通信
１００  プロキシサーバ
２００  携帯電話機
３００  携帯情報端末（パソコン）
４００  外部サーバ
【図１】
2006293840.tif 000003
【図２】
2006293840.tif 000004
【図３】
2006293840.tif 000005
【図４】
2006293840.tif 000006